(57)【要約】【課題】  光源設備等の照明を用いることなく患者の患部を集中的に検診することができる医療用発光板を提供する。【解決手段】  医療用発光板１０は、略中央に検診用の孔部１９を有する面状発光モジュール１２と、面状発光モジュール１２の非発光部に配置される給電用コネクタ部１３と、面状発光モジュール１２を支持するバンド１４と、を有する。【選択図】図１
2010005029.tif 000002
【特許請求の範囲】
【請求項１】
略中央に検診用の孔部を有する面状発光モジュールと、
前記面状発光モジュールの非発光部に配置される給電用コネクタ部と、
前記面状発光モジュールを支持するバンドと、
を有することを特徴とする医療用発光板。
【発明の詳細な説明】
【技術分野】
【０００１】
本発明は、例えば耳鼻科医の頭部に取り付けて患者の患部を検診するのに用いる医療用発光板に関する。
【背景技術】
【０００２】
従来の医療用発光板の一例として、発光素子モジュールを有する本体に先端部を結合することにより本体のコネクタを通じて発光素子モジュールに通電経路を形成する医療用発光板が知られている（例えば、特許文献１参照）。
【０００３】
従来の医療用発光板の他の一例として、中央に孔をもつ凹面鏡をベルトに取り付けた医療用発光板が知られている（例えば、非特許文献１参照）。
【特許文献１】特開２００２−３０６５１２号公報（図１５、段落０１１８）
【非特許文献１】株式会社テーエム松井 インターネットカタログ 額帯反射鏡（アドレス http://home.att.ne.jp/surf/km/3ga101.htm）
【発明の開示】
【発明が解決しようとする課題】
【０００４】
ところが、上記特許文献１に開示された医療用発光板は、医療用の光源設備等の照明として使用される。そのため、患者の患部周辺を照射するだけであり、患部の患部に視点を合わせて集中的に検診するには光量が不足する虞がある。
【０００５】
また、上記非特許文献１に開示された医療用発光板は、光源設備の光を凹面鏡に反射させないと使用することができない。
【０００６】
本発明は、前述した要望を満たすためになされたもので、その目的は、光源設備等の照明を用いることなく患者の患部を集中的に検診することができる医療用発光板を提供することにある。
【課題を解決するための手段】
【０００７】
本発明に係る医療用発光板は、略中央に検診用の孔部を有する面状発光モジュールと、前記面状発光モジュールの非発光部に配置される給電用コネクタ部と、前記面状発光モジュールを支持するバンドと、を有することを特徴とする。
【０００８】
医師はバンドを頭部に取り付け、給電用コネクタ部を通じて面状発光モジュールに通電することで、面状発光モジュールが自ら発光する。そして、発光光を患者の患部を照射しながら、検診用の孔部を通じて患者の患部を検診することができる。よって、光源設備等の照明を用いる必要がなくなり、患者の患部を集中的に検診することができる。
【発明の効果】
【０００９】
本発明の医療用発光板によれば、略中央に検診用の孔部を有する面状発光モジュールと、面状発光モジュールの非発光部に配置される給電用コネクタ部と、面状発光モジュールを支持するバンドと、を有する。
これにより、光源設備等の照明を用いることなく患者の患部を集中的に両手で検診することができるという効果を有する。
【発明を実施するための最良の形態】
【００１０】
以下、本発明の実施形態に係る医療用発光板について、図面を参照して説明する。
【００１１】
図１に示すように、本発明の一実施形態である医療用発光板１０は、ケース１１と、面状発光モジュール１２と、給電用コネクタ部１３と、バンド１４と、給電装置１５と、を備え、耳鼻科医の頭部に取り付けて患者の患部を検診するのに用いる。
【００１２】
ケース１１は、樹脂材によって軽量で薄い円盤形状に形成されており、中央に丸孔形状の検診用のケース側孔部１６を有し、外周部に枠部１７を形成した発光モジュール収容部１８を有する。ケース１１は円盤形状に代えて四角形であっても良い。
【００１３】
面状発光モジュール１２は、不図示の面状基板上に透光性を有する不図示の面状外装パネルを積層した有機ＥＬパネル等の軽量で薄い円盤形状の発光体である。面状発光モジュール１２は中央に丸孔形状であってケース１１のケース側孔部１６に同芯の検診用の発光モジュール側孔部１９を有し、ケース１１の発光モジュール収容部１８内に組み込まれている。面状発光モジュール１２は通電されると発光し、その発光光を図１中の左方手前方向に出射する。面状発光モジュール１２は円盤形状に代えて四角形であっても良い。
【００１４】
給電用コネクタ部１３は、ケース１１の側部に設けられており、給電装置１５から面状発光モジュール１２への通電回路を形成する。
【００１５】
バンド１４は、例えば布製であって連結部２０を介して無端状の輪形状に形成されている。連結部２０は、解除することでバンド１４を２分割し、バンド１４の内径を頭部に合わせて調整した後にロックすることで環状に形成される。ベルト１４は、面状発光モジュール１２の側部後方に給電装置１５に有する給電コード２１を把持するためのコード引掛部２２を有する。コード引掛部２２は、必ずしも必要なものではなく給電コード２１が垂れ下がらないようにするためだけに使われる。
【００１６】
給電装置１５は、給電装置ケース２３内に、例えば一次電池や二次電池等の不図示の電源を収納しており、給電装置ケース２３の上面にスイッチ２４を有し、給電コード２１を引き出している。給電装置ケース２３の背面には、例えばベルト等に装着される引掛部２５を有する。
【００１７】
給電装置１５は、給電コード２１の先端部にコネクタ２６を有するために、このコネクタ２６をケース１１の給電用コネクタ部１３に挿着し、スイッチ２４をオン切換えすることで電源から面状発光モジュール１２に通電を行う。
【００１８】
図２に示すように、ケース１１の背面には、バンド係合部２７を形成している。バンド係合部２７は、バンド１４を挿通させる本体２８の前面にヒンジ部材２９を介してケース１１を取り付けている。そのため、検診が終了した際や問診時にヒンジ部材２９を介してケース１１および面状発光モジュール１２を回動させて医師の目の前から退避させることができる。
【００１９】
図３に示すように、ケース１１の枠部１７は面状発光モジュール１２の非発光部３０を覆って形成される。給電用コネクタ１３は、面状発光モジュール１２の発光部３１の外周の非発光部３０に配置されており、一対の発光体電極３２と、発光体電極３２に電気的に接続された一対の給電端子３３と、を収納している。
【００２０】
給電用コネクタ１３は、給電コード２１のコネクタ２６を挿着させ、スイッチ２４をオン切換えした際に、一対の給電端子３３を通じて一対の発光体電極３２に電流を供給し、面状発光モジュール１２を発光させる。
【００２１】
このような医療用発光板１０は、連結部２０により内径を頭部に合わせて調整してから医師の頭部に装着される。そして、検診を行う際に、スイッチ２４をオン切換えすることで面状発光モジュール１２を発光させて視点を患部に合わせ、それぞれ一致しているケース側孔部１６および発光モジュール側孔部１９を通じて患者の患部の検診を行う。
【００２２】
このように、面状発光モジュール１２が自ら発光する直射光であるため効率がよく、かつ、光源設備等の照明を用いる必要がなくなって省エネルギー対策を図ることができる。
【００２３】
また、面状発光モジュール１２の発光光を患者の患部を照射して患部に視点を合わせ、検診用のケース側孔部１６および発光モジュール側孔部１９を通じて患者の患部を集中的、かつ、両手で検診することができる。
【００２４】
また、軽量であるために、医師に負担をかけることがなく、取り扱い性に富む。
【００２５】
なお、前記実施形態で使用したケース側孔部１６および発光モジュール側孔部１９の孔径およびケース１１および面状発光モジュール１２の形状等は例示したものに限定するものではなく適宜変更が可能である。
【図面の簡単な説明】
【００２６】
【図１】本発明に係る医療用発光板の前方斜め上方から視た外観斜視図
【図２】本発明に係る医療用発光板の背面を斜め上方から視た一部破断外観斜視図
【図３】本発明に係る医療用発光板の給電用コネクタ部の断面図
【符号の説明】
【００２７】
１０  医療用発光板
１２  面状発光モジュール
１３  給電用コネクタ部
１４  バンド
１９  発光モジュール側孔部（孔部）
３１  非発光部
【図１】
2010005029.tif 000003
【図２】
2010005029.tif 000004
【図３】
2010005029.tif 000005